(57)【要約】      （修正有）【課題】配管の位置及び配置経路全体を確定して標記し、漏れの検出に参考でき、処理効率を全体的に向上させる配管経路検出装置を提供する。【解決手段】配管経路検出装置は、駆動制御ユニット１０と、駆動制御ユニットに電気接続された音生成ユニット２０と、駆動制御ユニット及び音生成ユニットに物理的に接続されていない音検出ユニット３０とを含む。具体的には、駆動制御ユニットから生成した駆動信号が音生成ユニットに伝送され、さらに建物本体に覆われる又は埋め込まれて外部に露出されない配管と相互作用し、そして、特定の音が発され、配管全体に伝播されると同時に建物本体を透過する。なお、音検出ユニットは、建物本体に密接又は接近することによって配管が外部へ伝播する特定の音を検出する。【選択図】図１
0003235249.tif 000002
【実用新案登録請求の範囲】
【請求項１】
建物本体に覆われる又は埋め込まれて外部に露出されない配管の経路を検出するための配管経路検出装置であって、
駆動制御ユニットと、音生成ユニットと、音検出ユニットとを含み、
前記駆動制御ユニットは、駆動信号を生成して伝送するためのものであり、
前記駆動信号は、特定の切り替え周波数と、前記切り替え周波数の逆数である切り替え周期とを有し、
前記音生成ユニットは、前記駆動制御ユニットに電気接続され、かつ、覆われず又は埋め込まれず外部に露出される露出部に物理的に連結又は接触され、
前記露出部は、前記配管に接続され、
前記音生成ユニットが前記駆動制御ユニットからの駆動信号を受信し、前記露出部に対して作用力を加えることにより、前記露出部から音が生成され、
前記作用力は、周期的な衝撃力及び圧力の少なくとも１つを含み、
前記音は、前記配管に伝播され、さらに前記建物本体を透過し、
前記音検出ユニットは、前記駆動制御ユニット及び前記音生成ユニットに物理的に連結されず、前記建物本体に接近、密接、又は貼り付くことによって前記配管から伝播されてきた前記音を受信して検出し、これにより、前記配管が前記建物本体にいる位置及び経路を標記し、
前記駆動制御ユニットは、電源スイッチと、周波数調整部と、電源入力部と、制御部と、駆動部と、ハウジングとを含み、
前記電源スイッチ及び前記周波数調整部は、操作のために前記ハウジングの表面に設けられており、
前記制御部及び前記駆動部は、隔離保護のために前記ハウジングで覆われており、
前記電源スイッチは、前記電源入力部に電気接続されており、
前記周波数調整部、前記電源入力部、及び前記駆動部は、前記制御部に電気接続されており、
前記駆動制御ユニットは、外部電源を受け取るための電源入力線と、前記駆動信号を接続して伝送することによって前記音生成ユニットを駆動する駆動出力線とを有し、
前記電源入力部は、前記電源入力線に電気接続されており、かつ、前記電源スイッチの制御によって前記外部電源を導通して受け取る又は遮断し、
前記外部電源を受け取るように前記電源スイッチを導通する時に、前記電源入力部が操作電力を生成して前記制御部に供給し、前記制御部を動作させ、
前記電源スイッチが前記外部電源を遮断する時に、前記電源入力部が前記操作電力を閉じ、
前記周波数調整部は、周波数調整信号を生成して伝送するためのものであり、
前記制御部は、前記周波数調整信号を受信し、それに基づいて制御信号を生成して前記駆動部に伝送し、
前記駆動部は、前記制御信号に基づいて前記駆動信号を生成し、
前記切り替え周波数は、前記周波数調整信号に対応することを特徴とする、
配管経路検出装置。
【請求項２】
前記外部電源は、商用電源の交流、又はアダプタの電源出力端からの直流であることを特徴とする、
請求項１に記載の配管経路検出装置。
【請求項３】
前記切り替え周波数は、０．１〜１０Ｈｚであることを特徴とする、
請求項１に記載の配管経路検出装置。
【請求項４】
前記周波数調整部は、ロータリースイッチ又は押しボタンを利用することによって実現されることを特徴とする、
請求項１に記載の配管経路検出装置。
【請求項５】
前記制御部は、無線受信機能をさらに有し、無線リモコンから送信された無線制御信号を受信し、前記無線制御信号に基づいて前記駆動信号の切り替え周波数及び切り替え周期を変更することを特徴とする、
請求項１に記載の配管経路検出装置。
【請求項６】
前記音生成ユニットは、ハンマー構造を利用することによって実現され、
前記ハンマー構造は、ハンマーと、前記ハンマーに連結されているブレーキとを含み、前記ブレーキは、前記駆動出力線を介して前記駆動信号を受信し、前記駆動信号に基づいて前記ハンマーを駆動することにより、周期的な往復運動を生成させ、前記ハンマーが前記露出部に打ち付けて周期的に前記音を生成し、
前記音の周期は、前記駆動信号の切り替え周期であることを特徴とする、
請求項１に記載の配管経路検出装置。
【請求項７】
前記音生成ユニットは、ウォーターハンマー構造によって実現され、
前記ウォーターハンマー構造は、前記露出部に接続されている開閉弁と、前記開閉弁に連結されているウォーターハンマーブレーキとを含み、
前記露出部及び前記配管は、水で満たされ、
前記ウォーターハンマーブレーキは、前記駆動出力線を介して前記駆動信号を受信し、前記駆動信号に基づいて前記開閉弁を駆動することにより、周期的な開閉を行い、
前記露出部の水は、前記開閉弁が開けられた時に前記開閉弁に流れて排出され、前記開閉弁が閉められた時に前記開閉弁への流れが止められ、これにより、前記開閉弁が前記露出部の水に対して周期的な水圧波を生成し、前記周期的な水圧波の衝撃によって前記露出部が前記音を生成して前記配管に伝播し、
前記音の周期は、前記切り替え周期であることを特徴とする、
請求項１に記載の配管経路検出装置。
【請求項８】
前記音検出ユニットは、ヘッドホンと、音受信器と、音処理器とを含み、
前記ヘッドホン、前記音受信器、及び前記音処理器は、内蔵電池を含む内蔵電源からの電気供給によって動作し、
前記ヘッドホン及び前記音受信器は、前記音処理器に電気接続されており、
前記音受信器は、前記建物本体に接近又は密接することにより、前記配管から伝播されてきた前記音を受信し、音受信信号を生成して伝送し、
前記音処理器は、前記音受信信号を受信して処理することにより、音放送信号を生成して前記ヘッドホンに伝送し、放送音を鳴らせ、
前記放送音は、前記配管から伝播されてきた前記音に対応することを特徴とする、
請求項１に記載の配管経路検出装置。
【考案の詳細な説明】
【技術分野】
【０００１】
本考案は、配管経路検出装置に関し、特に、駆動制御ユニットによって駆動信号を生成して音生成ユニットに伝送し、さらに建物本体に覆われる又は埋め込まれて外部に露出されない配管と相互作用し、そして、特定の音が発され、配管全体に伝播されると同時に建物本体を透過し、そしてさらに、音検出ユニットを建物本体に密接又は接近することによって配管が外部へ伝播する特定の音を検出し、これにより、配管の位置及び配置経路全体を確定して標記する配管経路検出装置に関する。
【背景技術】
【０００２】
家屋の水漏れは、非常に面倒で、有効かつ迅速に解決できない問題である。原因としては、水漏れが屋根における降雨後の水たまりや貯水タンクからの漏れや水道管の破裂によるものである可能性があるから、また、天井、床、又は壁から滲みや漏れが見られる場合は、既に一定時間の漏れが続いている。
【０００３】
普通の建物の水道管の水漏れに対して、よく使われる解決方法は、水の滲む又は漏れる位置に基づき、壁又は床を直接掘り、水漏れしている配管を見つけて修理又は交換する方法である。しかしながら、水の滲み又は漏れの流路は把握しにくく、干渉要因が多いため、多くの試行が必要であり、時間及び手間がかかる。特に、都市の集合住宅の場合は、異なる階で水漏れが発生した時に、該階の住人の同意を得て現場視察を行うことすら難しい。
【０００４】
従来技術では、非破壊的な方法もよく使われる。主に、色付きの水漏れ検知液を配管内の水に滴下し、次に、水漏れ検知液が壁又は床から滲み出しているか否かを観察するものであり、即ち、色によって水漏れの位置を確認する。しかしながら、依然として水漏れの位置を正確に把握することは難しい。原因としては、色付き水漏れ検知液の大部分が下に流れ、ごく一部だけが横方向に同じ階に流れ、下の階の住人の苦情を招きやすく、また、残液の色が見た目に影響を与え、トラブルの原因になりかねない。
【０００５】
なお、家屋建設がますます大型化になり、世帯数が多くなるだけでなく、配管の配置もより複雑になり、配管全体の長さも長くなる。これにつれ、漏れ検出が困難となり、水漏れの位置の誤判断も多くなり、時間及び労力を浪費してしまう。
【０００６】
そのため、駆動制御ユニットによって駆動信号を生成して音生成ユニットに伝送し、さらに建物本体に覆われる又は埋め込まれて外部に露出されない配管と相互作用し、そして、特定の音が発され、配管全体に伝播されると同時に建物本体を透過し、そしてさらに音検出ユニットを建物本体に密接又は接近することによって配管が外部へ伝播する特定の音を検出し、これにより、配管の位置及び配置経路全体を確認して標記する、斬新な配管経路検出装置が求められている。この配管経路検出装置によれば、上記の従来技術の問題を解決することができる。
【考案の概要】
【考案が解決しようとする課題】
【０００７】
本考案の主な目的は、建物本体に覆われる又は埋め込まれて外部に露出されない配管の経路を検出するための配管経路検出装置を提供することである。前記配管経路検出装置は、駆動制御ユニットと、音生成ユニットと、音検出ユニットとを含む。音生成ユニットは、駆動制御ユニットに電気接続されている。音検出ユニットは、駆動制御ユニット及び音生成ユニットに物理的に連結されず、一定の距離が置かれている。特に、音生成ユニットは、覆われず又は埋め込まれずに外部に露出される露出部に物理的に連結又は接触されている。露出部は、配管に接続されている。
【課題を解決するための手段】
【０００８】
具体的には、駆動制御ユニットは、駆動信号を生成して伝送するためのものであり、駆動信号は、特定の切り替え周波数と、切り替え周波数の逆数である切り替え周期とを有する。音生成ユニットは、覆われず又は埋め込まれずに外部に露出される露出部に物理的に連結又は接触されている。露出部は、配管に接続されている。音生成ユニットは、駆動制御ユニットからの駆動信号を受信し、露出部に対して特定の作用力を加えることにより、露出部から音が生成される。音は、配管に伝播され、さらに建物本体を透過する。例えば、作用力は、周期的な衝撃力及び圧力の少なくとも１つを含む。
【０００９】
なお、上記の音検出ユニットは、建物本体に接近、密接又は貼り付くことによって配管から伝播されてきた音を受信して検出し、これにより、配管が建物本体にいる位置及び経路を標記する。
【００１０】
さらに、駆動制御ユニットは、電源スイッチと、周波数調整部と、電源入力部と、制御部と、駆動部と、ハウジングとを含む。電源スイッチ及び周波数調整部は、操作のためにハウジングの表面に設けられている。制御部及び駆動部は、隔離保護のためにハウジングで覆われている。電源スイッチは、電源入力部に電気接続されている。周波数調整部、電源入力部、及び駆動部は、制御部に電気接続されている。
【００１１】
さらに、駆動制御ユニットは、さらに外部電源を受け取る電源入力線と、駆動信号を接続して伝送することによって音生成ユニットを駆動する駆動出力線とを有する。
【００１２】
より具体的には、電源スイッチは、電源をオン／オフする機能を有している。電源入力部は、電源入力線に電気接続されており、かつ、電源スイッチの制御によって外部電源を受け取る又は遮断する。特に、外部電源を受け取る時に、電源入力部が操作電力を生成して制御部に供給し、制御部を動作させる。外部電源を遮断する時に、電源入力部が駆動制御ユニット全体の必要電源を閉じる。
【００１３】
さらに、周波数調整部は、周波数調整信号を生成して伝送するためのものである。制御部は、周波数調整信号を受信し、それに基づいて制御信号を生成して駆動部に伝送する。そして、駆動部は、制御信号に基づいて駆動信号を生成する。駆動信号の切り替え周波数は、周波数調整器によって生成された周波数調整信号に対応する。
【考案の効果】
【００１４】
したがって、本考案は、駆動制御ユニットによって駆動信号を生成して音生成ユニットに伝送し、さらに建物本体に覆われる又は埋め込まれて外部に露出されない配管と相互作用し、そして、特定の音が発され、配管全体に伝播されると同時に建物本体を透過し、そしてさらに、音検出ユニットを建物本体に密接又は接近するによって配管が外部へ伝播する特定の音を検出し、これにより、配管の位置及び配置経路全体を確認して標記する。
【図面の簡単な説明】
【００１５】
【図１】本考案に係る配管経路検出装置を示す模式図である。
【図２】本考案に係る配管経路検出装置における駆動制御ユニットを示す模式図である。
【図３】本考案に係る配管経路検出装置における音生成ユニットを示す模式図である。
【図４】本考案に係る配管経路検出装置におけるもう１つの音生成ユニットを示す模式図である。
【図５】本考案に係る配管経路検出装置における音検出ユニットを示す模式図である。
【考案を実施するための形態】
【００１６】
以下、図面及び符号を開示しながら本考案の実施形態をより詳しく説明する。
【００１７】
図１は、本考案の実施例の配管経路検出装置を示す模式図である。図１に示すように、本考案に係る配管経路検出装置は、建物本体Ｂに覆われる又は埋め込まれて外部に露出されない配管４０の経路を検出するための配管経路検出装置であって、駆動制御ユニット１０と、音生成ユニット２０と、音検出ユニット３０とを含む。音生成ユニット２０は、駆動制御ユニット１０に電気接続されている。ただし、音検出ユニット３０は、駆動制御ユニット１０及び音生成ユニット２０に物理的に連結されず、一定の距離が置かれている。特に、音生成ユニット２０は、露出部４１に物理的に連結又は接触されている。露出部４１は、覆われず又は埋め込まれずに外部に露出され、配管４０に接続されている。
【００１８】
注意すべきところは、使用されている音生成ユニット２０によって、配管４０及び露出部４１が水Ｗで満たされてもよく、水Ｗが全部排出されてもよい。言い換えると、本考案において、水Ｗで満たされた配管４０及び露出部４１に対して経路の検出を行ってもよく、水Ｗが全部排出された空き状態の配管４０及び露出部４１に対して経路の検出を行ってもよい。
【００１９】
具体的には、駆動制御ユニット１０は、駆動信号Ｄを生成して音生成ユニット２０に送信するためのものである。駆動信号Ｄは、特定の切り替え周波数と、切り替え周波数の逆数である切り替え周期Ｔとを有する。なお、音生成ユニット２０は、駆動制御ユニット１０に電気接続され、駆動制御ユニット１０からの駆動信号Ｄを受信し、露出部４１に対して作用力を加えることにより、露出部から音が生成される。作用力は、周期的な衝撃力及び圧力の少なくとも１つを含む。音は、配管４０に伝播され、さらに建物本体を透過する。さらに、音検出ユニット３０は、建物本体Ｂに接近、密接又は貼り付くことによって配管４０から伝播されてきた音を受信して検出し、これにより、配管４０が建物本体Ｂにいる位置及び経路を標記する。
【００２０】
より具体的には、図２に示すように、駆動制御ユニット１０は、電源スイッチ１１と、周波数調整部１２と、電源入力部１３と、制御部１４と、駆動部１５と、ハウジング１６とを含む。電源スイッチ１１、周波数調整部１２は、操作のためにハウジング１６の表面に設けられている。制御部１４及び駆動部１５は、隔離保護のためにハウジング１６で覆われている。さらに、電源スイッチ１１は、電源入力部１４に電気接続されている。周波数調整部１２、電源入力部１４、及び駆動部１５は、制御部１４に電気接続されている。注意すべきところは、本考案のもう１つの実施例として、電源入力部１３及び駆動部１５を制御部１４に統合させることで、多機能制御部が構成されてもよい。特に、多機能制御部が１つの半導体チップによって実現されてもよい。
【００２１】
なお、駆動制御ユニット１０は、電源入力線Ｐと駆動出力線Ｃとをさらに有する。電源入力線Ｐは、外部電源ＶＩＮを受け取るために用いられている。外部電力ＶＩＮは、例えば、普通の商用電源の１１０Ｖ又は２２０Ｖの交流であってもよく、アダプタ（図示せず）の電源出力端からの例えば１２Ｖの直流であってもよい。そして、駆動制御ユニット１０は、駆動出力線Ｃを介して駆動信号Ｄを接続して伝送することにより、音生成ユニット２０を駆動する。もう１つの実施例においては、電源入力線Ｐが商用電源のみを受け取り、他にアダプタからの直流のみを受け取るもう１つの電源入力線Ｐ１が設けられている。
【００２２】
上記の電源入力部１３は、電源入力線Ｐに電気接続されており、電源スイッチ１１の制御によって外部電源ＶＩＮを導通して受け取る又は遮断する。電源入力部１３は、電源スイッチ１１が導通されることによって外部電源ＶＩＮを受け取る時に、操作電力を生成して制御部１４に供給し、制御部１４を動作させ、電源スイッチ１１が外部電源ＶＩＮを遮断する時に、駆動制御ユニット１０全体の必要電源、即ち操作電力を閉じる。言い換えると、電源スイッチ１１は、電源をオン/オフする機能を有する。
【００２３】
周波数調整部１２は、ロータリースイッチ又は押しボタン等の手段によって実現され得る。周波数調整部１２が周波数調整信号を生成して伝送し、そして、制御部１４が周波数調整信号を受信し、それに基づいて制御信号を生成して駆動部１５に伝送し、さらに、駆動部１５が制御信号に基づいて駆動信号Ｄを生成する。駆動信号Ｄは、切り替え周期Ｔの逆数である特定の切り替え周波数を有する。また、切り替え周波数は、周波数調整部１２によって生成された周波数調整信号に対応する。言い換えると、周波数調整器１２で周波数調整信号を変更することにより、駆動信号Ｄの切り替え周波数及び切り替え周期Ｔを制御して調整することができる。ここで、切り替え周波数は、０．１〜１０Ｈｚであり、すなわち、対応する切り替え周期Ｔは、１０〜０．１秒である。
【００２４】
なお、駆動制御ユニット１０は、振幅調整部１７をさらに含んでもよい。振幅調整部１７は、例えば、ロータリースイッチ又は押しボタンであり、かつ、制御部１４に電気接続され、振幅調整信号を生成して伝送するためのものである。制御部１４は、振幅調整信号を受信し、駆動部１５に伝送する制御信号を変更するにより、駆動信号Ｄの振幅を制御する。
【００２５】
さらに、駆動制御ユニット１０は、上記の外部電源ＶＩＮを利用して動作する他に、電池１８（例えば、リチウム電池）を内蔵することによって必要電力を提供してもよい。特に、商用電源又はアダプタがない場合でも、全体の動作が正常であることが確保でき、さらに応用分野を拡大しながら操作の利便性及び効率を向上させる。
【００２６】
ハウジング１６の表面には、指示ランプＬが設けられてもよい。指示ランプＬは、電源入力部１３又は制御部１４に電気接続されており、駆動制御ユニット１０の操作状態を示すためのものである。例えば、指示ランプＬが点灯している場合は、駆動制御ユニット１０の電源がオンであることを示す。指示ランプが点灯していない場合は、駆動制御ユニット１０の電源がオフであることを示す。なお、指示ランプは、点滅することによって駆動信号Ｄの切り替え周波数及び切り替え周期Ｔを示してもよい。例えば、指示ランプＬの点滅周波数は、駆動信号Ｄの切り替え周波数である。
【００２７】
特に、制御部１４は、無線受信機能をさらに有してもよい。制御部１４は、無線受信機能により、無線リモコンＲから送信された無線制御信号Ａを受信し、無線制御信号Ａに基づいて駆動信号Ｄの切り替え周波数及び切り替え周期Ｔを変更する。よって、距離が置かれた場合でも、無線リモコンＲを利用して遠くにいる制御部１４を遠隔操作することができ、実用的には非常に便利で効率的である。
【００２８】
図３は、本考案に係る配管経路検出装置における音生成ユニットを示す模式図である。図３に示すように、音生成ユニット２０は、ハンマー構造によって実現される。ハンマー構造は、ハンマー２１と、ハンマー２１に連結されているブレーキ２２とを含む。ブレーキ２２は、駆動出力線Ｃを介して駆動信号Ｄを受信し、それに基づいてハンマー２１を駆動することによって周期的な往復運動を生成させる。これにより、ハンマー２１が露出部４１に打ち付けて周期的に音を生成する。特に、音の周期は、駆動信号Ｄの切り替え周期Ｔである。好ましくは、ハンマー２１及びブレーキ２２は、接続キット２３によって接続され、露出部４１に固定される。
【００２９】
図４は、本考案に係る配管経路検出装置におけるもう１つの音生成ユニットを示す模式図であり、本考案の音生成ユニット２０のもう１つの実施例を示している。本実施例は、主に水撃作用（Ｗａｔｅｒ  Ｈａｍｍｅｒ）を生成するウォーターハンマー構造によって実現される。ウォーターハンマー構造は、露出部４１に接続されている開閉弁２４と、開閉弁２４に連結されているウォーターハンマーブレーキ２５とを含む。露出部４１及び配管４０は、水Ｗで満たされている。言い換えると、図４の音生成ユニット２０は、水Ｗで満たされている露出部４１及び配管４０のみに対して作用でき、配管が空き状態の露出部４１及び配管４０に利用できない。
【００３０】
ウォーターハンマーブレーキ２５が駆動出力線Ｃを介して駆動信号Ｄを受信し、それに基づいて開閉弁２４を駆動することにより、開閉弁２４が周期的に開閉を行う。露出部４１の水Ｗは、開閉弁２４が開けられた時に開閉弁２４に流れて排出され、開閉弁２４が閉められた時に開閉弁２４への流れが止められ、これにより、開閉弁２４が露出部４１の水Ｗに対して周期的な水圧波を生成し、周期的な水圧波の衝撃によって露出部４１が音を生成して配管４０に伝播する。特に、音の周期は、切り替え周期Ｔである。
【００３１】
図５は、本考案に係る配管経路検出装置における音検出ユニットを示す模式図である。音検出ユニット３０は、ヘッドホン３１と、音受信器３２と、音処理器３３と含む。ヘッドホン３１、音受信器３２、及び音処理器３３は、図示しない内蔵電源３４からの電気供給によって動作している。内蔵電源３４は、例えば、内蔵電池を含んでもよい。
【００３２】
ヘッドホン３１及び音受信器３２は、音処理器３３に電気接続されている。音受信器３２は、建物本体Ｂに接近又は密接することにより、配管４０から伝播されてきた音を受信し、音受信信号を生成して伝送する。そして、音処理器３３は、音受信信号を受信して処理し、音放送信号を生成してヘッドホン３１に伝送し、放送音を鳴らせる。放送音が配管４０から伝播されてきた音に対応するため、音検出機能が達成され、配管４０の位置及び経路を検出することができる。
【００３３】
上記をまとめると、本考案の特徴としては、駆動制御ユニットによって駆動信号を生成して音生成ユニットに伝送し、さらに建物本体に覆われる又は埋め込まれて外部に露出されない配管と相互作用し、そして、特定の音が発され、配管全体に伝播されると同時に建物本体を透過する。音検出ユニットを建物本体に密接又は接近することによって配管が外部へ伝播する特定の音を検出し、これにより、配管の位置及び配置経路全体を確認して標記する。
【００３４】
なお、本考案のもう１つの特徴としては、駆動制御ユニットによって必要な駆動信号を生成し、特に無線リモコンで遠隔操作を行うことができるため、操作効率全体を大幅に改善することができる。また、いつでも駆動信号の切り替え周波数を調整して音のビート周波数を変更することができるため、音の検出が現場の環境によって影響されることを防ぎ、配管経路の検出精度を向上させる。
【００３５】
上記の内容は、本考案を説明するための好ましい実施例にすぎず、本考案を制限するものではないため、本考案の精神から逸脱しない限り、本考案についての改良や変更は、いずれも本考案の範囲に含まれる。
【符号の説明】
【００３６】
１０  駆動制御ユニット
１１  電源スイッチ
１２  周波数調整部
１３  電源入力部
１４  制御部
１５  駆動部
１６  ハウジング
１７  振幅調整部
１８  電池
２０  音生成ユニット
２１  ハンマー
２２  ブレーキ
２３  接続キット
２４  開閉弁
２５  ウォーターハンマーブレーキ
３０  音検出ユニット
４０  配管
４１  露出部
Ａ  無線制御信号
Ｂ  建物本体
Ｃ  駆動出力線
Ｄ  駆動信号
Ｌ  指示ランプ
Ｐ  電源入力線
Ｐ１  もう１つの電源入力線
Ｒ  無線リモコン
Ｔ  周期
ＶＩＮ  外部電源
Ｗ  水
【図１】
0003235249.tif 000003
【図２】
0003235249.tif 000004
【図３】
0003235249.tif 000005
【図４】
0003235249.tif 000006
【図５】
0003235249.tif 000007